(57)【特許請求の範囲】
【請求項１】
隔膜により区画された一対の液室内にそれぞれの電極を収容し、同液室内に収容されたそれぞれの電極に所定の直流電圧を印加することにより、流入口に供給される処理水を電解してアルカリ性イオン水と酸性イオン水を生成して各流出口から流出させる電解槽を備えるとともに、前記それぞれの電極に印加する直流電圧の極性を切換える印加電圧極性切換手段を備えてなる電解水生成装置であって、
前記電解槽の前記流入口に処理水を給水する給水手段と、
前記給水手段の一部に接続されるとともに排水管に接続されて前記処理水の給水時に閉じられる排水弁と、
前記電解槽で生成されたアルカリ性イオン水あるいは酸性イオン水を流出させる流出口に接続される第１排出管と、
前記電解槽で生成された酸性イオン水あるいはアルカリ性イオン水を流出させる流出口に接続される第２排出管と、
前記第１排出管および第２排出管より排出されるアルカリ性イオン水あるいは酸性イオン水を所望の場所に導出する第１導出管と、
前記第２排出管および第１排出管より排出される酸性イオン水あるいはアルカリ性イオン水を所望の場所に導出する第２導出管と、
前記第１導出管および前記第２導出管のどちらか一方にこれらに導出されるイオン水の流量を制限する流量制限手段を備えるとともに、
前記第１排出管および第２排出管に接続するとともに前記第１導出管および第２導出管に接続されて、前記第１排出管を前記第１導出管に連通させるとともに前記第２排出管を前記第２導出管に連通させる第１切換状態と、前記第１排出管を前記第２導出管に連通させるとともに前記第２排出管を前記第１導出管に連通させる第２切換状態とを有してこれらの各切換状態を選択的に切換える流路切換手段とを備え、
前記電解槽への前記処理水の給水が停止されたときに前記流路切換手段が一方の切換状態にあるときに前記排水弁を開いて同電解槽内の残水を前記排水管より予め設定した第１の時間だけ排水した後、前記流路切換手段を他方の切換状態にして同電解槽内の残水を前記排水管より予め設定した第２の時間だけ排水するようにしたことを特徴とする電解水生成装置。
【発明の詳細な説明】
【０００１】
【発明の属する技術分野】
本発明は、水または食塩水等の処理水を電気分解して酸性イオン水とアルカリ性イオン水を生成する電解水生成装置に関する。
【０００２】
【従来の技術】
従来の電解水生成装置は、電解槽内に一対の電極を備え、この一対の電極間を隔膜により隔離して第１の電極室となる陽極室および第２の電極室となる陰極室を構成する。このように構成した各電極室の流入口に水または食塩水等の処理水を供給して各電極に所定の直流電圧を印加すると、正電圧が印加された陽極室には水素イオン（Ｈ+）が増加した酸性イオン水が生成され、負電圧が印加された陰極室には水酸イオン（ＯＨ-）が増加したアルカリ性イオン水が生成されて、これらの各イオン水を各電極室の各流出口から流出させるようにしている。
【０００３】
このような電解水生成装置においては、各イオン水の生成運転時に、各電極へ常に同じ極性で電圧を印加すると、第１の電極室は常に陽極室となり、第２の電極室は常に陰極室となるため、長期間の使用によりカルシウム酸化物あるいはマグネシウム酸化物等がスケールとなってアルカリ性イオン水を生成する第２の電極室の電極上に付着して堆積し、第２の電極室の電極が劣化あるいは損傷してこの電極の寿命が短くなるという問題を生じる。
【０００４】
そこで、電解槽で生成されたアルカリ性イオン水を流出させる流出口に接続される第１排出管と電解槽で生成された酸性イオン水を流出させる流出口に接続される第２排出管とを設け、これらの各排出管に流路切換弁を介して選択的に接続される第１導出管と第２導出管とを設けて、流路切換弁が第１の切換状態にあるときに第１の電極室の電極には負電圧を印加するとともに第２の電極室の電極には正電圧を印加し、流路切換弁が第２の切換状態にあるときは第１の電極室の電極には正電圧を印加するとともに第２の電極室の電極には負電圧を印加するようにして、第１導出管からはアルカリ性イオン水のみを流出させるとともに第２導出管からは酸性イオン水のみを流出させようにした電解水生成装置が提案されている。
【０００５】
このようにすると、流路切換弁を切換える毎に、第１電極室はアルカリ性イオン水の生成から酸性イオン水の生成に切換えられ、また、第２電極室は酸性イオン水の生成からアルカリ性イオン水の生成に切換えられることとなるので、アルカリ性イオン水を生成する電極室の電極上にカルシウム酸化物あるいはマグネシウム酸化物等がスケールとなって付着、堆積することが防止できるようになり、電極の劣化、損傷が防止されるようになって、この種の電解水生成装置の電極が長寿命になる。
【０００６】
【発明が解決しようとする課題】
しかしながら、上述した流路切換弁を備えた電解水生成装置においては、所定の流量の処理水となる水道水を電解槽内に流入させてアルカリ性イオン水および酸性イオン水を生成させると、各流出口より排出されるアルカリ性イオン水および酸性イオン水は同量となるため、アルカリ性イオン水を多量に生成したい場合あるいは酸性イオン水を多量に生成したい場合には対応できないという問題を生じる。
【０００７】
ここで、所定の流量の処理水を電解槽内に流入させたときにアルカリ性イオン水を多量に生成したい場合について検討する。一般的に、所定の流量の処理水を電解槽内に流入させる場合、酸性イオン水を生成する電極室への処理水の流入量を減らすか、あるいは酸性イオン水を生成する電極室からの流出量を減らせば、アルカリ性イオン水を生成する電極室でのアルカリ性イオン水の生成量が相対的に多くなるため、所定の流量の処理水に対して生成するアルカリ性イオン水の方が酸性イオン水より多く生成されることが分かる。
【０００８】
上述した流路切換弁を備えた電解水生成装置にておいては、各電極室は陽極室と陰極室とが交互に切換えられるため、酸性イオン水を生成する電極室への処理水の流入量を減らす方法は採用できないこととなる。そのため、酸性イオン水を生成する電極室からの流出量を減らす方法を採用すればよいが、酸性イオン水を生成する電極室からの流出量を減らすために絞り弁等の流量制限手段を設けると、電解槽内に滞留した残水を排出する場合に、流量制限手段を設けた側からの空気の流入量が減少するため、流量制限手段が流路抵抗となって、残水を排出するために長時間を要するという問題を生じる。また、逆に、酸性イオン水を多量に生成したい場合には、アルカリ性イオン水を生成する電極室からの流出量を減らすための流量制限手段を設けても同様の問題を生じる。
【０００９】
本発明は、上記した問題に対処すべくなされたものであり、流路切換弁を通して導出される酸性イオン水あるいはアルカリ性イオン水の導出路のどちらか一方に流量制限手段を設けても、電解槽内に滞留した残水を完全に排出できるようにするとともに短時間で排出できるようにすることにある。
【００１０】
【課題を解決するための手段】
本発明は、隔膜により区画された一対の液室内にそれぞれの電極を収容し、同液室内に収容されたそれぞれの電極に所定の直流電圧を印加することにより、流入口に供給される処理水を電解してアルカリ性イオン水と酸性イオン水を生成して各流出口から流出させる電解槽を備えるとともに、それぞれの電極に印加する直流電圧の極性を切換える印加電圧極性切換手段を備えてなる電解水生成装置であって、上記課題を解決するために、電解槽の流入口に処理水を給水する給水手段と、この給水手段の一部に接続されるとともに排水管に接続されて処理水の給水時に閉じられる排水弁と、電解槽で生成されたアルカリ性イオン水あるいは酸性イオン水を流出させる流出口に接続される第１排出管と、電解槽で生成された酸性イオン水あるいはアルカリ性イオン水を流出させる流出口に接続される第２排出管と、第１排出管および第２排出管より排出されるアルカリ性イオン水あるいは酸性イオン水を所望の場所に導出する第１導出管と、第２排出管および第１排出管より排出される酸性イオン水あるいはアルカリ性イオン水を所望の場所に導出する第２導出管と、第１導出管および第２導出管のどちらか一方にこれらに導出されるイオン水の流量を制限する流量制限手段を備えるとともに、第１排出管および第２排出管に接続するとともに第１導出管および第２導出管に接続されて、第１排出管を第１導出管に連通させるとともに第２排出管を前記第２導出管に連通させる第１切換状態と、第１排出管を第２導出管に連通させるとともに第２排出管を第１導出管に連通させる第２切換状態とを有してこれらの各切換状態を選択的に切換える流路切換手段を備え、電解槽への処理水の給水が停止されたときに流路切換手段が一方の切換状態にあるときに排水弁を開いて同電解槽内の残水を排水管より予め設定した第１の時間だけ排水した後、流路切換手段を他方の切換状態にして同電解槽内の残水を排水管より予め設定した第２の時間だけ排水するようにしたことにある。
【００１１】
【発明の作用効果】
上述のように構成した本発明による電解水生成装置においては、流路切換手段が第１の切換状態にある場合に、電解槽内の各電極に順方向電圧を印加すると、一方の電極室においてはアルカリ性イオン水が生成され、他方の電極室においては酸性イオン水が生成され、アルカリ性イオン水は一方の導出管より導出され、酸性イオン水は他方の導出管より導出される。このとき、どちらか一方の導出管は流量制限手段を備えているため、流量制限手段を備えた導出管より導出されるイオン水の流量が制限されて、相対的に流量制限手段を備えない導出管より導出されるイオン水の流量の方が多くなる。そのため、どちらか一方のイオン水を多量に生成させることが可能となる。
【００１２】
この状態から電解槽への処理水の給水を停止して、排水弁を開いて排水動作を開始させると、流量制限手段を備えた導出管より取り入れられる空気量は流量制限手段により制限されることとなるので、排水動作を開始して第１の時間が経過しても、流量制限手段を備えた導出管に連通する電解槽を含む排水通路内には残水が滞留することとなる。ここで流路切換手段を第２の状態に切換えると、流量制限手段を備えた導出管に連通されていた電解槽を含む排水通路が流量制限手段を備えない導出管に連通することとなって、第２の時間が経過すると、この排水通路内に滞留していた残水の全てが排水されることとなる。
【００１３】
これにより、流量制限手段を設けたために流量制限手段に連通する排水通路内に滞留する残水の排水時間を短時間に行わせることができ、電圧印加停止時間を短くすることができて、当該装置のイオン水生成運転の中断時間が短時間となって、イオン水生成の能力が向上する。
【００１４】
この後、給水弁を開いてイオン水の生成動作を再開して、今度は、流路切換手段は第２の切換状態にあって、電解槽内の各電極に逆方向電圧を印加すると、一方の電極室においては酸性イオン水が生成され、他方の電極室においてはアルカリ性イオン水が生成されるようになるが、流路切換手段が第２の切換状態にあるため、酸性イオン水は他方の導出管より導出され、アルカリ性イオン水は一方の導出管より導出されるようになる。
【００１５】
これにより、各電極室での各イオン水の生成が生成動作を再開する毎に交互に切換えられても、一方の導出管からは常にアルカリ性イオン水が導出され、他方の導出管からは常に酸性イオン水が導出されるようになる。このように、電解槽内の一対の電極への印加電圧極性を生成動作を再開する毎に交互に切換えるようにすると、電解槽内の各電極に付着するスケールを的確に除去することができて、略均一なｐＨの電解イオン水を継続して得ることができるようになる。
【００１６】
【発明の実施の形態】
以下に、本発明の一実施の形態を図面に基づいて説明する。図１は本発明による電解水生成装置を示している。この電解水生成装置は電解槽２０の両電極室に処理水（水道水）を給水管１１を通して給水する給水弁Ｖ１を備えていて、この給水弁Ｖ１は常閉型の電磁開閉弁であり制御装置１００によって作動を制御されるようになっている。給水管１１は、上記した給水弁Ｖ１とフローセンサＳを介装した接続部１１ａと、この接続部１１ａの先端から上方に延びる立上部１１ｂと、この立上部１１ｂの先端から分岐して上方に延び電解槽２０の両流入口２１ａ，２１ｂにそれぞれ接続される分岐部１１ｃによって構成されていて、接続部１１ａには周知の浄水器Ｆを介して給水ホース１２が接続され、また立上部１１ｂの下端には排水弁Ｖ２を介装した排水管１３が接続されている。給水ホース１２は、機外に延びていて、水道管（図示省略）に接続されるようになっている。
【００１７】
フローセンサＳは、給水管１１における接続部１１ａ内の水の流れを検出するものであり、その検出信号は制御装置１００に入力されるようになっている。排水管１３は、機底部に沿って配置されていて機外に延びており、排水溝（図示省略）に排水可能となっている。排水弁Ｖ２は、常閉型の電磁開閉弁であり制御装置１００によって作動を制御されるようになっている。
【００１８】
電解槽２０は、流入口に供給される処理水を電解してアルカリ性イオン水と酸性イオン水を生成し各流出口から流出させる通水式の電解槽であり、一対の流入口２１ａ，２１ｂと一対の流出口２１ｃ，２１ｄを有する槽本体２１と、この槽本体２１内に対向配設した第１及び第２の電極２２，２３と、これら両電極２２，２３間に配設されて各電極２２，２３を収容する第１及び第２の電極室２４，２５を形成する隔膜２６によって構成されていて、第１電極室２４には流入口２１ａと流出口２１ｃが連通し、第２電極室２５には流入口２１ｂと流出口２１ｄが連通している。各電極２２，２３は、チタン基材の表面に白金メッキ或いは白金イリジウムを焼成してなるもので、両電極２２，２３への直流電圧の印加・停止及び印加電圧極性の切換（順方向電圧、逆方向電圧の切換）は制御装置１００によって制御されるようになっている。また、各流出口２１ｃ，２１ｄには第１及び第２の排出管３１，３２が接続されていて、両排出管３１，３２は流路切換弁Ｖ３を介して第１及び第２の導出管３３，３４に接続されている。各導出管３３，３４は、各イオン水を大容量の各貯溜タンク（図示省略）に導くためのものであり、電解槽２０より上方に立ち上がる立上部３３ａ，３４ａを有していて、先端が大気に開口しており、各立上部３３ａ，３４ａの下端にて流路切換弁Ｖ３に接続されている。
【００１９】
ここで、導出管３４の流路切換弁Ｖ３に接続される近傍には、この導出管３４に導出される酸性イオン水あるいはアルカリ性イオン水の流量を制限する、例えば節水コマあるいは節水キャップ等からなる絞り弁３４ｂが配設されている。これにより、所定の流量の処理水を各流入口２１ａ，２１ｂより電解槽２０内に流入させると、導出管３４に導出される酸性イオン水あるいはアルカリ性イオン水の流量が制限されて、相対的に導出管３３より導出されるアルカリ性イオン水あるいは酸性イオン水の流量が多くなることとなり、所望するイオン水の生成量を多くすることが可能となる。
【００２０】
流路切換弁Ｖ３は、酸・アルカリに耐える４ポート２位置切換バルブであって、電動モータ（図示省略）によって切換駆動されるものであり、図１の仮想線で示した第２の状態（排出管３１が導出管３４に接続され排出管３２が導出管３３に接続されて、図１の破線矢印で示す方向に連通している状態）にて制御装置１００から信号を受けたとき図１の実線で示した第１の状態（排出管３１が導出管３３に接続され排出管３２が導出管３４に接続されて、図１の実線矢印で示す方向に連通している状態）に切り替わり、また図１の実線で示した第１の状態にて制御装置１００から信号を受けたとき図１の仮想線で示した第２の状態に切り替わるようになっており、図１の仮想線で示した第２の状態にあるか実線で示した第１の状態にあるかはセンサ（図示省略）によって検出されるようになっている。
【００２１】
制御装置１００は、電源スイッチ１０１，生成スイッチ１０２（共にＯＮ−ＯＦＦ切換スイッチである）を備えるとともに、第１タイマ１０６と、第１タイマ１０６の第１設定時間ｔａを可変設定するための第１設定装置１０４とを備え、また図２及び図３に示したフローチャートに対応したプログラムを実行するマイクロコンピュータ（図示省略）とを備えていて、各スイッチ１０１，１０２，１０３の操作とフローセンサＳからの信号と流路切換弁Ｖ３の状態を検出するセンサからの信号及び第１タイマ１０６およびマイクロコンピュータに内蔵された第２タイマの計時値に基づいて、給水弁Ｖ１及び排水弁Ｖ２の開閉作動と流路切換弁Ｖ３の切換作動と電解槽２０における両電極２２，２３への直流電圧の印加・停止及び印加電圧極性の切換（順方向電圧、逆方向電圧の切換）とを制御するとともに、音声による報知装置（図示省略）の作動及び各導出管３３，３４の出口に設けた表示ランプ（図示省略）の点灯・消灯等をそれぞれ制御するようになっており、以下に説明する各作動が得られるようになっている。
【００２２】
上記のように構成した本実施の形態においては、当該電解水生成装置が使用可能な状態で電源スイッチ１０１がオン操作されて、制御装置１００のマイクロコンピュータが図２のステップ２００にてプログラムの実行を開始し、ステップ２０２にて生成スイッチ１０２がオン操作されているか否かが判定される。このとき、生成スイッチ１０２がオン操作されていなければ、ステップ２０２にて「ＮＯ」と判定してステップ２０２の処理を繰り返し実行し、また生成スイッチ１０２がオン操作されていれば、ステップ２０２にて「ＹＥＳ」と判定して次のステップ２０４に進む。
【００２３】
ステップ２０４において、マイクロコンピュータは給水弁Ｖ１に開信号を出力し、ステップ２０６にてフローセンサＳがＯＮ信号を出力しているか否かを判定する。給水弁Ｖ１は、正常であれば開信号にて開作動するため、水道が断水状態でなければ、給水管１１内を水道水が流れてフローセンサＳがＯＮとなり、ステップ２０６にて「ＹＥＳ」と判定してステップ２１０に進む。また、給水弁Ｖ１が開信号にて開作動しないか、水道が断水状態であるときには、ステップ２０６にて「ＮＯ」と判定し、ステップ２０８にて警報が発せられる。水道が断水状態から通水状態となったときには、水道の通水によりフローセンサＳがＯＮとなり、ステップ２０６にて「ＹＥＳ」と判定してステップ２１０に進む。
【００２４】
ステップ２１０においては、流路切換弁Ｖ３が図１の実線に示した第１切換状態に保持されているか否かを判定し、「ＹＥＳ」と判定したときには、ステップ２１２にて電解槽２０内の一対の電極２２，２３間に所定の順方向の直流電圧を印加して、電極２２が陰極側となり電極２３が陽極側となる。これにより、給水ホース１２から浄水器Ｆを通過した水道水が給水弁Ｖ１とフローセンサＳと給水管１１を通って電解槽２０の各電極室２４，２５に供給されるとともに、電解槽２０内で電解されて各イオン水が生成され、陰極側電極２２の電極室２４からは水酸イオンが増加したアルカリ性イオン水が排出管３１と第１切換状態の流路切換弁Ｖ３と導出管３３を通して大容量のアルカリ性イオン水用貯溜タンク（図示省略）に送られ、また陽極側電極２３の電極室２５からは水素イオンが増加した酸性イオン水が排出管３２と第１切換状態の流路切換弁Ｖ３と導出管３４を通して大容量の酸性イオン水用貯溜タンク（図示省略）に送られることとなる。
【００２５】
一方、流路切換弁Ｖ３が図１の仮想線に示した第２切換状態に保持されていると、ステップ２１０にて「ＮＯ」と判定し、ステップ２１４にて電解槽２０内の一対の電極２２，２３間に所定の逆方向の直流電圧を印加して、電極２２が陽極側となり電極２３が陰極側となる。これにより、給水ホース１２から浄水器Ｆを通過した水道水が給水弁Ｖ１とフローセンサＳと給水管１１を通って電解槽２０の各電極室２４，２５に供給されるとともに、電解槽２０内で電解されて各イオン水が生成され、陽極側電極２２の電極室２４からは水素イオンが増加した酸性イオン水が排出管３１と第２切換状態の流路切換弁Ｖ３と導出管３４を通して大容量の酸性イオン水用貯溜タンク（図示省略）に送られ、また陰極側電極２３の電極室２５からは水酸イオンが増加したアルカリ性イオン水が排出管３２と第２切換状態の流路切換弁Ｖ３と導出管３３を通して大容量のアルカリ性イオン水用貯溜タンク（図示省略）に送られることとなる。
【００２６】
ステップ２１６では第１タイマ１０６がリセットされて計時値ｔ１がゼロとされて再スタートされ、ステップ２１８ではステップ２１６にてリセットされた第１タイマ１０６の計時値ｔ１が第１設定値ｔａ以上か否かを判定する。ステップ２１６にてリセットされた第１タイマ１０６の計時値ｔ１が第１設定値ｔａに満たないときにはステップ２１８にて「ＮＯ」と判定してステップ２２２の処理を実行し、また上記した計時値ｔ１が第１設定値ｔａに達するとステップ２１８にて「ＹＥＳ」と判定してステップ２３０に進み、図３のステップ２３０以降の排水のための処理が実行される。上記した第１設定値ｔａは、図１に示した第１設定装置１０４によって、例えば、１０分〜１時間の範囲で適宜に変更可能である。
【００２７】
ステップ２２２において、生成スイッチ１０２がオフ操作されているか否かを判定する。このとき、生成スイッチ１０２がオフ操作されていなければ、ステップ２２２にて「ＹＥＳ」と判定してステップ２１８に戻り、第１設定値ｔａになるまで上述の処理を繰り返す。生成スイッチ１０２がオフ操作されていれば、ステップ２２２にて「ＮＯ」と判定してステップ２３０に進み、図３のステップ２３０以降の排水のための処理が実行される。
【００２８】
ここで、ステップ２２２にて行われる生成スイッチ１０２のオフ操作の判定における生成スイッチ１０２のオフ操作の意味は、当該装置の操作者が生成スイッチ１０２をオフ操作するか、あるいは図示しないアルカリイオン水用貯留タンクおよび酸性イオン水貯留タンク内に設けた各フロートスイッチがこれらのいずれかのタンク内のイオン水が規定量に達してオン動作した場合に、制御装置１００が生成スイッチ１０２をオフ操作させるかのいずれかである。
【００２９】
図３の排水のための処理に進むと、ステップ２３０にて排水処理のプログラムの実行を開始する。すると、ステップ２３１にて電解槽２０の両電極２２，２３への電圧印加を停止し、ステップ２３２にて給水弁Ｖ１に閉信号を出力して電解槽２０への処理水の給水を停止する。ついで、ステップ２３３にて、排水弁Ｖ２に開信号を出力して排水弁Ｖ２を開作動させる。これにより、各導出管３３，３４、流路切換弁Ｖ３、各排出管３１，３２、電解槽２０および給水管１１内に滞留した残水は各導出管３３，３４の大気に開口している先端より空気が取り入れられて排水管１３より排水溝に排水されることとなる。
【００３０】
しかしながら、導出管３４には絞り弁３４ｂを配設しているので、導出管３４の大気に開口している先端より取り入れられる空気は絞り弁３４ｂにより規制されるため、絞り弁３４ｂが流路抵抗となって、流路切換弁Ｖ３が図１の実線で示す第１切換状態にある場合は、導出管３４、排出管３２、電解槽２０の第２電極室２５、給水管１１および排水管１３よりなる排水通路内に残水が滞留することとなる。一方、流路切換弁Ｖ３が図１の仮想線で示す第２切換状態にある場合は、導出管３４、排出管３１、電解槽２０の第１電極室２４、給水管１１および排水管１３よりなる排水通路内に残水が滞留することとなる。
【００３１】
そこで、排水弁Ｖ２を開作動させた後、ステップ２３４にてマイクロコンピュータに内蔵された第２タイマをリセットして計時値ｔ２の計時を開始する。そして、ステップ２３５において、ステップ２３４にて計時を開始した第２タイマの計時値ｔ２が予め設定した第１排水設定値ｔｂ以上か否かを判定する。なお、この第１排水設定値ｔｂは絞り弁３４ｂと連通する上述の排水通路内に残水が半分以上は滞留しない時間を実験により測定した実測値を基にして決定しており、例えば２０秒程度（排水弁Ｖ２のサイズによって変わる）に予めマイクロコンピュータに設定されている。
【００３２】
ステップ２３５において、「ＮＯ」と判定したときにはステップ２３５の処理を繰り返して実行する。所定の時間が経過して第１排水設定値ｔｂに達すると、ステップ２３５にて「ＹＥＳ」と判定して、次のステップ２３６に進む。ステップ２３６に進むと、マイクロコンピュータは流路切換弁Ｖ３の電動モータに駆動信号を送出する。すると、電動モータは流路切換弁Ｖ３を９０度だけ回転駆動するため、ステップ２１０にて流路切換弁Ｖ３が第１切換状態と判定した場合は第２切換状態に変更し、逆にステップ２１０にて流路切換弁Ｖ３が第２切換状態と判定した場合は第１切換状態に変更されることとなる。
【００３３】
このように、ステップ２３６にて流路切換弁Ｖ３が９０度回転駆動されることにより、上述の排水通路（流路切換弁Ｖ３が第１状態にあったときは導出管３４、排出管３２、電解槽２０の第２電極室２５、給水管１１および排水管１３よりなり、第２状態にあったときは導出管３４、排出管３１、電解槽２０の第１電極室２４、給水管１１および排水管１３よりなる）内に導出管３３より多量の空気が取り入れられることとなって、これらの排水通路内に滞留された残水は全て排水されることとなる。
【００３４】
ステップ２３７において、ステップ２３４にて計時を開始した第２タイマの計時値ｔ２が予め設定した第２排水設定値ｔｃ以上か否かを判定する。なお、この第２排水設定値ｔｃは上述の排水通路内に滞留した残水が全て排水されるまでの時間を実験により測定した実測値を基にして決定しており、例えば４０秒程度（ステップ２３５にてｔｂに達してから２０秒後であり、この時間も排水弁Ｖ２のサイズによって変わる）に予めマイクロコンピュータに設定されている。
【００３５】
ステップ２３８において、排水弁Ｖ２に閉信号を出力して排水弁Ｖ２を閉作動させ、ステップ２３９にて排水処理のプログラムの実行を終了し、図２のステップ２０２に戻り上述の処理を繰り返し実行する。
【００３６】
以上の説明から明らかなように、本実施の形態においては、制御装置１００のマイクロコンピュータが図２及び図３に示したプログラムを実行すると、流路切換弁Ｖ３が第１切換状態にある場合においては、電解槽２０内の各電極２２，２３に順方向の直流電圧が印加されて、第１電極室２４においてはアルカリ性イオン水が生成され、第２電極室２５においては酸性イオン水が生成され、アルカリ性イオン水は導出管３３より導出され、酸性イオン水は導出管３４より導出される。このとき、導出管３４には絞り弁３４ｂが配設されているため、導出管３４より導出される酸性イオン水の流量が制限されて、相対的に導出管３３より導出されるアルカリ性イオン水の流量の方が多くなる。そのため、アルカリ性イオン水を多量に生成させることが可能となる。
【００３７】
この状態を第１設定時間ｔａ（例えば１０分〜１時間）だけ継続した後、給水弁Ｖ１を閉じ、排水弁Ｖ２を開いて排水動作を開始する。排水動作を開始して第１排水設定値ｔｂ（例えば２０秒）だけ経過すると、流路切換弁Ｖ３を第２状態に切換え、第２排水設定値ｔｃ（例えば第１排水設定値ｔｂの経過後２０秒）だけ経過すると、排水弁Ｖ２を閉じて排水動作を終了する。
【００３８】
このようにすることにより、絞り弁３４ｂを設けたために絞り弁３４ｂに連通する排水通路に滞留する残水の排水時間を短時間に行わせることができ、電圧印加停止時間を短くすることができて、当該装置のイオン水生成運転の中断時間が短時間となって、イオン水生成の能力が向上する。また、導水管３４内の酸性イオン水が第１電極室２４内に流入することとなるので、負電圧が印加される電極２２が水素イオンにより侵されるのを抑制することができて電極の寿命を長くすることができるようになる。
【００３９】
この後、給水弁Ｖ１を開いて生成動作を再開すると、今度は、流路切換弁Ｖ３は第２切換状態にあって、電解槽２０内の各電極２２，２３に逆方向の直流電圧が印加され、第１電極室２４においては酸性イオン水が生成され、第２電極室２５においてはアルカリ性イオン水が生成されるようになるが、流路切換弁Ｖ３が第２切換状態にあるため、酸性イオン水は導出管３４より導出され、アルカリ性イオン水は導出管３３より導出され、この処理動作が繰り返して行われることとなる。これにより、各電極室２４，２５での各イオン水の生成が第１設定時間ｔａ毎にあるいは生成スイッチ１０２がオフ操作される毎に交互に切換えられても、導出管３３からは常にアルカリ性イオン水が導出され、導出管３４より常に酸性イオン水が導出されるようになる。
【００４０】
このように、電解槽２０内の一対の電極２２，２３への印加電圧極性が第１設定時間ｔａ毎にあるいは生成スイッチ１０２がオフ操作される毎に切換えられるようになっているため、電解槽２０内の各電極２２，２３に付着するスケールを的確に除去することができて、略均一なｐＨの電解イオン水を継続して得ることができる。
【００４１】
なお、上記実施の形態においては、アルカリ性イオン水を多量に生成させるために、酸性イオン水を導出する導出管３４に絞り弁３４ｂを設ける例について説明したが、酸性イオン水を多量に生成させたい場合には導出管３３に絞り弁を設けるようにすればよい。また、上記実施の形態においては、流量制限手段として導出管３４に絞り弁３４ｂを設ける例について説明したが、絞り弁３４ｂを設ける代わりに導出管３３、３４のどちらか一方の導出管の一部を潰したりあるいは細めたりして導出管の一部の管内を細くしてもよい。
【００４２】
また、上記実施の形態においては、流路切換弁Ｖ３が第１の切換状態にあるときに順方向電圧を印加するようにし、流路切換弁Ｖ３が第２の切換状態にあるときに逆方向電圧を印加するようにして、導出管３３からはアルカリ性イオン水のみを導出するとともに導出管３４からは酸性イオン水のみを導出するようにした例について説明したが、この電解水生成装置を一定期間使用する毎に、流路切換弁Ｖ３が第２の切換状態にあるときに順方向電圧を印加するようにし、流路切換弁Ｖ３が第１の切換状態にあるときに逆方向電圧を印加するようにて、導出管３３からは酸性イオン水を導出するようにするとともに導出管３４からはアルカリ性イオン水を導出するようにすれば、アルカリ性イオン水の流通によって導出管３３の管内壁に付着、堆積する酸化カルシウム、酸化マグネシウム等のスケールは酸性イオン水により、自動的に洗浄できるようになる。
【図面の簡単な説明】
【図１】  本発明による電解水生成装置の一実施の形態を示す全体構成図である。
【図２】  図１に示した電解水生成装置の制御装置が備えるマイクロコンピュータにて実行されるイオン水を生成するための制御プログラムの一部を示すフローチャートである。
【図３】  図２に示したフローチャートの排水処理を示すフローチャートである。
【符号の説明】
１１…給水管、２０…電解槽、２１ａ，２１ｂ…流入口、２１ｃ，２１ｄ…流出口、２２，２３…電極、２４，２５…電極室、２６…隔膜、３１，３２…排出管、３３，３４…導出管、３４ｂ…絞り弁、１００…制御装置、１０１…電源スイッチ、１０２…生成スイッチ、１０６…第１タイマ、Ｖ１…給水弁、Ｖ２…排水弁、Ｖ３…流路切換弁。
【図１】
0003653135.tif 000002
【図２】
0003653135.tif 000003
【図３】
0003653135.tif 000004